(57)【要約】      （修正有）【課題】マスクを装着する際に、装着時における煩わしい手間や不快感を生じさせることなく、マスクを装着することによる息苦しさを解消できるマスク形状保持具の提供。【解決手段】マスク本体の上部中央に着脱自在に取付けられる上部固定部１０ａと、マスク本体の下部に着脱自在に取付けられる下部固定部１０ｂと、上部固定部及び下部固定部との間において、上部固定部と下部固定部との間隔を保持する保持部１０とから構成されている。マスク本体に上部固定部及び下部固定部が取付けられた状態において、一対の支持紐体による張力によってマスクの上部と下部とが狭められることにより保持部が湾曲されている。【選択図】図１
0003221798.tif 000002
【実用新案登録請求の範囲】
【請求項１】
着用者の両耳に掛けられる左右一対の支持紐体に保持されて前記着用者の口唇に密着されるマスク本体の前記口唇側に取付けられる形状保持具であって、
前記マスク本体の上部中央に着脱自在に取付けられる上部固定部と、
前記マスク本体の下部に着脱自在に取付けられる下部固定部と、
前記上部固定部及び前記下部固定部との間において、前記上部固定部と前記下部固定部との間隔を保持する保持部と
とから構成されていることを特徴とするマスク形状保持具。
【請求項２】
前記マスク本体に前記上部固定部及び前記下部固定部が取付けられた状態において、前記一対の支持紐体による張力によって前記マスクの上部と下部とが狭められることにより、前記保持部が湾曲されていることを特徴とする請求項１に記載のマスク形状保持具。
【請求項３】
前記マスク本体を装着した状態において、前記上部固定部は、前記着用者の鼻尖部分に当接可能な位置に配置され上下方向に細長な形状を有するとともに前記支持紐体の幅よりも細く形成されている
ことを特徴とする請求項１又は２に記載のマスク形状保持具。
【請求項４】
前記上部固定部及び前記下部固定部のいずれか、或いはこれらの両方に、前記マスク本体との接触部分に粗面が形成されていることを特徴とする請求項１〜３のいずれかに記載のマスク形状保持具。
【請求項５】
前記マスク本体を装着した状態において、前記保持部には、前記着用者の鼻翼部分の近傍において、左右方向に突出された翼部を有することを特徴とする請求項１〜４のいずれかに記載のマスク形状保持具。
【請求項６】
前記マスク本体を装着した状態において、前記保持部は下方に向けて分岐され、分岐された下端部のそれぞれに前記下部固定部が形成されていることを特徴とする請求項１〜５のいずれかに記載のマスク形状保持具。
【請求項７】
着用者の両耳に掛けられる左右一対の支持紐体に保持されて前記着用者の口唇に密着されるマスクの前記口唇側に、請求項１〜６のいずれかに記載のマスク形状保持具が取付けられていることを特徴とするマスク。
【考案の詳細な説明】
【技術分野】
【０００１】
本考案は、着用者の両耳に掛けられる左右一対の支持紐体に保持されて着用者の口唇に密着されるマスク本体の口唇側に取付けられるマスク形状保持具、及びこの保持具を備えたマスクに関する。
【背景技術】
【０００２】
従来、着用者の口や鼻を覆うマスクとしては、例えば、マスク本体部が複数のシート片を接合して構成され、不織布を二重に重ねてマスク本体部を構成した立体マスクなどが開発されている。このような立体マスクをはじめ不織布などの線維を素材とするようなマスクでは、装着時に不織布が装着者の口や鼻に密着してしまい、呼吸が楽にできずに息苦しさを感じさせてしまう傾向がある。
【０００３】
このようなマスクの装着時における息苦しさを解消するマスク用補助具が提案されている（例えば特許文献１参照。）。この特許文献１に開示されたマスク用補助具では、プラスチックにより形成されたフレーム本体と、その位置決め部を有し、フレーム本体は装着者の鼻の背に合わせて成形されており、フレーム本体を鼻と小鼻との境界線に合わせて鼻の上に載置し、その上からマスクを装着する。フレーム本体の中央部付近から口の上付近に延びた板状のマスク支持部によって、マスクのガーゼ面と鼻、及び口との間に空間が生じされる。このマスク用補助具では、マスクが鼻と口に張り付くことにより生じる呼吸の息苦しさや、会話時の煩わしさが解消される。
【先行技術文献】
【特許文献】
【０００４】
【特許文献１】特開２０１１−２４４８５８号公報
【考案の概要】
【考案が解決しようとする課題】
【０００５】
しかしながら、上述した特許文献１に開示されたマスクでは、マスク用補助具を鼻の上に載置してマスクを装着する構成であるため、マスクを装着するための手間が煩わしく、また補助具を鼻に載置して装着するような構成であることから、補助具の装着感が不快となる惧れもある。
【０００６】
そこで、本考案は、上記のような問題を解決するものであり、マスクを装着する際に、装着時における煩わしい手間や不快感を生じさせることなく、マスクを装着することによる息苦しさを解消できるマスク形状保持具及びこれを備えたマスクを提供することを目的とする。
【課題を解決するための手段】
【０００７】
上記課題を解決するために、本考案は、着用者の両耳に掛けられる左右一対の支持紐体に保持されて着用者の口唇に密着されるマスク本体の口唇側に取付けられる形状保持具であって、マスク本体の上部中央に着脱自在に取付けられる上部固定部と、マスク本体の下部に着脱自在に取付けられる下部固定部と、上部固定部及び下部固定部との間において、上部固定部と下部固定部との間隔を保持する保持部ととから構成されている。
【０００８】
また、本考案は、着用者の両耳に掛けられる左右一対の支持紐体に保持されて着用者の口唇に密着されるマスクの口唇側に、上記マスク形状保持具が取付けられていることを特徴とするマスクである。
【０００９】
上記考案において、マスク本体に上部固定部及び下部固定部が取付けられた状態において、一対の支持紐体による張力によってマスクの上部と下部とが狭められることにより、保持部が湾曲されていることが好ましい。
【００１０】
上記考案において、マスク本体を装着した状態において、上部固定部は、着用者の鼻尖部分に当接可能な位置に配置され、上下方向に細長な形状の当接部を有し、当接部は、支持紐体の幅よりも細く形成されていることが好ましい。また、上記考案において、上部固定部及び下部固定部のいずれか、或いはこれらの両方に、マスク本体との接触部分に粗面が形成されていることが好ましい。
【００１１】
上記考案において、マスク本体を装着した状態において、保持部には、着用者の鼻翼部分の近傍において、左右方向に突出された翼部を有することが好ましい。また、上記考案において、マスク本体を装着した状態において、保持部は下方に向けて分岐され、分岐された下端部のそれぞれに下部固定部が形成されていることが好ましい。
【考案の効果】
【００１２】
以上述べたように、これらの考案では、マスクの内側に空間を形成することが可能であり、空間が形成されるため、呼吸へのストレスや装着時の不快感を解消することができ、例えば花粉アレルギー対策においてマスクを装着したまま屋外でのランニング等の運動での呼吸のし難さなども回避することができる。また、例えば口紅などのメイクをしているようなときであっても、マスク内部に付着するのを防ぐことができ、マスク装着時にメガネが曇るのも防止できる。さらには、装着者の口唇周辺に空間を確保することができることから、会話などの声が伝わりにくくなったり、マスク装着時に顔面が押さえつけられて顔の表情が険しくなったりして美観が損なわれるのも回避することができる。これらの結果、本考案によれば、マスクの装着時における煩わしい手間や不快感を生じさせることなく、マスクを装着することによる息苦しさを解消できる。
【図面の簡単な説明】
【００１３】
【図１】実施形態に係るマスク形状保持具の全体構成を示す斜視図である。
【図２】（ａ）は実施形態に係るマスク形状保持具の全体構成を示す側面図であり、（ｂ）はその上面図である。
【図３】実施形態に係るマスク形状保持具が取付けられたマスクの全体構成を示す斜視図である。
【図４】実施形態に係るマスク形状保持具の使用状態を示す説明図である。
【図５】（ａ）は従来のマスクの使用状態を示す説明図であり、（ｂ）は実施形態に係るマスクの使用状態を示す説明図である。
【図６】（ａ）は変更例１に係るマスク形状保持具の全体構成を示す上面図であり、（ｂ）はその使用状態を示す説明図である。
【図７】（ａ）は変更例２に係るマスク形状保持具の全体構成を示す上面図であり、（ｂ）はその使用状態を示す説明図である。
【考案を実施するための形態】
【００１４】
以下に添付図面を参照して、本考案に係るマスク形状保持具の実施形態を詳細に説明する。なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、実用新案登録請求の範囲において、種々の変更を加えることができる。
【００１５】
（マスク形状保持具の全体構成）
図１は、本実施形態に係るマスク形状保持具の全体構成を示す斜視図であり、図２は図１に示したマスク形状保持具の側面図及び上面図である。また、図３は、本実施形態に係るマスク形状保持具が取付けられたマスクの全体構成を示す斜視図である。
【００１６】
図１〜３に示すように、本実施形態に係るマスク形状保持具１は、着用者の両耳に掛けられる左右一対の支持紐体３，３に保持されて着用者の口唇に密着されるマスク本体２０の口唇側に取付けられる。具体的にこのマスク形状保持具１は、マスク形状保持具１の本体をなす保持部１０と、その上下端部に形成される上部固定部１０ａ及び下部固定部１０ｂとから概略構成されている。
【００１７】
保持部１０は、弾性を有する薄板状の細長の部材であり、上端部が上部固定部１０ａとなっているとともに下端部が下部固定部１０ｂとなっており、これらの部位は一体的に形成されている。上部固定部１０ａはマスク本体２０の上部中央に着脱自在に取付けられる部位である一方、下部固定部１０ｂはマスク本体２０の下部に着脱自在に取付けられる部位であり、上部固定部１０ａ及び下部固定部１０ｂとの間において、保持部１０は、上部固定部１０ａと下部固定部１０ｂとの間隔を保持するようになっている。
【００１８】
また、本実施形態において保持部１０は、上部固定部１０ａ及び下部固定部１０ｂとともに、厚紙、プラスチック等の樹脂などの弾力性の部材で形成されている。これにより、マスク本体２０に上部固定部１０ａ及び下部固定部１０ｂが取付けられた状態において、一対の支持紐体３，３による張力によってマスク本体２０の上部２０ａと下部２０ｂとが狭められることにより、保持部１０が湾曲されるようになっている。
【００１９】
さらに、マスク本体２０を装着した状態において、上部固定部１０ａは着用者Ｐの鼻尖部分に当接可能な位置に配置できるように、上下方向に細長な形状を有するとともに支持紐体３，３の幅よりも細く形成されている。上部固定部１０ａ及び下部固定部１０ｂのいずれか、或いはこれらの両方に、マスク本体２０との接触部分に粗面である固定テープ１１，１２が貼り付けられている。この固定テープ１１，１２のマスクに接触する側の表面（接着面）としては、紙ヤスリ状の粗面の他、粘着性を有する樹脂面、面ファスナーなどとすることができる。
【００２０】
（作用・効果）
以上説明した実施形態によれば、マスク本体２０に上部固定部１０ａ及び前記下部固定部１０ｂが取付けられた状態において一対の支持紐体３，３による張力によってマスクの上部２０ａと下部２０ｂとが狭められることにより保持部１０が湾曲され、固定テープ１１，１２の付着力と保持部１０のテンションとによって、着用者Ｐの口唇周辺に空間Ｓが形成され、マスク２を装着したことによる息苦しさを解消できる。
【００２１】
特に、本実施形態では、上部固定部１０ａが着用者Ｐの鼻尖部分に当接可能な位置に配置され上下方向に細長な形状を有しているとともに、上部固定部１０ａ及び下部固定部１０ｂのいずれか、或いはこれらの両方に、マスク本体２０との接触部分に粗面が形成されているため、着脱が容易であり、装着時における煩わしい手間や不快感を生じさせることがない。
【００２２】
これらの結果、本実施形態によれば、マスク２の内側に空間Ｓを形成することが可能であり、呼吸へのストレスや装着時の不快感を解消することができ、例えば花粉アレルギー対策においてマスクを装着したまま屋外でのランニング等の運動での呼吸のし難さなども回避することができる。また、例えば口紅などのメイクをしているようなときであっても、マスク２内部に付着するのを防ぐことができ、マスク２装着時にメガネが曇るのも防止できる。さらには、着用者Ｐの口唇周辺に空間Ｓを確保することができることから、会話などの声が伝わりにくくなったり、マスク装着時に顔面が押さえつけられて顔の表情が険しくなったりして美観が損なわれるのも回避することができる。
【００２３】
（変更例１）
なお、上述した実施形態の説明は、本考案の一例である。このため、本考案は上述した実施形態に限定されることなく、本考案に係る技術的思想を逸脱しない範囲であれば、設計等に応じて種々の変更が可能である。
【００２４】
例えば、図６に示すように、マスク本体２０を装着した状態において、保持部４０には着用者Ｐの鼻翼部分の近傍において、左右方向に突出された翼部４０ｃを設けるようにしてもよい。この変更例１においても、保持部４０は、弾性を有する薄板状の細長の部材であり、上端部が上部固定部４０ａとなっているとともに下端部が下部固定部４０ｂとなっており、これらの部位は一体的に形成されている。上部固定部４０ａはマスク本体２０の上部中央に着脱自在に取付けられる部位である一方、下部固定部４０ｂはマスク本体２０の下部に着脱自在に取付けられる部位であり、上部固定部４０ａ及び下部固定部４０ｂとの間において、保持部４０は、上部固定部４０ａと下部固定部４０ｂとの間隔を保持するようになっている。
【００２５】
（変更例２）
さらに、図７に示すように、マスク本体２０を装着した状態において、保持部５０が下方に向けて分岐され、分岐された下端部のそれぞれに下部固定部５０ｂ，５０ｂが形成されている。この変更例２においても、保持部５０にも、着用者Ｐの鼻翼部分の近傍において左右方向に突出された翼部５０ｃを設けるようにしてもよい。
【００２６】
この変更例２においても、保持部５０は、弾性を有する薄板状の細長の部材であり、上端部が上部固定部５０ａとなっているとともに下端部が分岐された下部固定部５０ｂ，５０ｂとなっており、これらの部位は一体的に形成されている。上部固定部５０ａはマスク本体２０の上部中央に着脱自在に取付けられる部位である一方、一対の下部固定部５０ｂ，５０ｂはマスク本体２０の下部において、着用者Ｐの顎部分の両側部に着脱自在に取付けられる。そして上部固定部５０ａ及び一対の下部固定部５０ｂ，５０ｂとの間において、保持部５０は上部固定部５０ａと下部固定部５０ｂ，５０ｂとの間隔を保持するようになっている。
【符号の説明】
【００２７】
Ｐ…着用者
Ｓ…空間
１…マスク形状保持具
２…マスク
３，３…支持紐体
１０，４０，５０…保持部
１０ａ…上部固定部
１０ｂ…下部固定部
１１，１２…固定テープ
２０…マスク本体
４０，５０…保持部
４０ｃ，５０ｃ…翼部
【図１】
0003221798.tif 000003
【図２】
0003221798.tif 000004
【図３】
0003221798.tif 000005
【図４】
0003221798.tif 000006
【図５】
0003221798.tif 000007
【図６】
0003221798.tif 000008
【図７】
0003221798.tif 000009